(57)【要約】      （修正有）【課題】フルートの頭部管のように、その管内の一端に閉塞部を有する管楽器においても確実に管内の清掃、水分の吸収を実現できる管楽器用掃除具を提供する。【解決手段】支持棒１００が挿入される円筒状の挿入部１０ｋと、前記挿入部から外周方向に延設され、その先端が前記管内の内周面に接触する接触部１０ｂとを有する布状の清掃布１０からなり、前記清掃布の前記挿入部の長手方向先端部には、前記接触部と略直角な前記管内の端部を清掃する清掃端１０ｉを設けて管楽器の管内を清掃するための掃除具とする。【選択図】図１
0003158457.tif 000002
【実用新案登録請求の範囲】
【請求項１】
管楽器の管内を清掃するための管楽器用掃除具において、
支持棒が挿入される筒状の挿入部と、前記挿入部から外周方向に延設され、その先端が前記管内の内周面に接触する接触部とを有する布状の清掃布からなり、
前記清掃布の前記挿入部長手方向先端部には、前記接触部と略直角な前記管内の端部を清掃する清掃端を有することを特徴とする管楽器用掃除具。
【請求項２】
前記清掃布は、伸縮性を有する布材より構成されることを特徴とする請求項１に記載の管楽器用掃除具。
【請求項３】
前記清掃布は、前記挿入部長手方向に少なくとも２箇所以上を縫合することにより前記挿入部を形成することを特徴とする請求項１または２に記載の管楽器用掃除具。
【請求項４】
前記接触部は、前記清掃布を前記挿入部長手方向に屈曲させることにより形成されることを特徴とする請求項１乃至３のいずれか１つに記載の管楽器用掃除具。
【請求項５】
前記挿入部は、一端に支持棒が挿入される開口部を有し、他端は、前記清掃端と同一側に設けられ、かつ縫合により前記支持棒が前記清掃端より突出しないよう構成されていることを特徴とする請求項１乃至４のいずれか１つに記載の管楽器用掃除具
【請求項６】
前記清掃布は一枚の布材よりなることを特徴とする請求項１乃至５のいずれか１つに記載の管楽器用掃除具。
【請求項７】
前記清掃布を前記挿入部に並行する方向に、山部と谷部が設けられるように複数回折り曲げ、前記山部を挟んで隣接する谷部同士を縫合することにより前記挿入部が形成されるとともに、前記山部が前記接触部を構成することを特徴とする請求項６に記載の管楽器用掃除具。
【請求項８】
前記清掃布と、前記清掃布の前記挿入部に抜き差し自在な前記支持棒とから構成されることを特徴とする請求項１乃至７のいずれか１つに記載の管楽器用掃除具。
【請求項９】
前記支持棒には、前記清掃布とは別の布材を挿入可能な挿入穴が設けられていることを特徴とする請求項８に記載の管楽器用掃除具。
【考案の詳細な説明】
【技術分野】
【０００１】
本考案は、管楽器の内周面を清掃する掃除具に関するものであり、特に管の一端が閉塞されているフルート、ピッコロ等の掃除具として有用である。
【背景技術】
【０００２】
従来、特許文献１に、管楽器用の内周面を清掃する掃除具が開示されている。この特許文献１の掃除具では、スワブと呼ばれる布材をかぶせた軸状部材の先端側に銃弾状のガイド部材を取り付けることで、バリトンサクソフォンのような曲管部を有する管楽器の内周面の清掃を容易化している。
【０００３】
また、図７に示されるように、いわゆる掃除棒１００と呼ばれる棒状の部材の一端に設けられた挿入穴１００ａにガーゼやハンカチ等の布材２００の一端を挿入し、掃除棒１００の先端および外周に巻きつけて管内に挿入し、管の内周面に付着した水分をふき取り、清掃するものも長年使用されている。
【先行技術文献】
【特許文献】
【０００４】
【特許文献１】特開２００３−３４５３４７号公報
【考案の概要】
【考案が解決しようとする課題】
【０００５】
しかし、フルートの頭部管のように、その管内の一端が閉塞されているようなものにおいては、特許文献１の軸状部材の先端側に取り付けられた銃弾状のガイド部材や、一般的に使用されている掃除棒１００の先端部に巻きつけられたガーゼ等の布材２００は、その表面が丸くなっており、頭部管内部のヘッドジョイントの端面のような管内の閉塞端、特に閉塞端周囲の角部に付着した水分を十分吸収したり、清掃することができなかった。そこで、本考案は、管楽器の内周面に付着した水分を充分に吸収し、清掃することを可能とするものである。
【課題を解決するための手段】
【０００６】
このような課題を解決するため、本考案においては、請求項１に記載のように、管楽器の管内を清掃するための管楽器用掃除具において、支持棒が挿入される筒状の挿入部と、前記挿入部から外周方向に延設され、その先端が前記管内の内周面に接触する接触部とを有する布状の清掃布からなり、前記清掃布の前記挿入部長手方向先端部には、前記接触部と略直角な前記管内の端部を清掃する清掃端を有することを特徴とするものである。
【０００７】
また、請求項２に記載のように、清掃布を伸縮性を有する布材で構成するようにしてもよい。
【０００８】
また、請求項３のように、清掃布を挿入部長手方向に少なくとも２箇所以上縫合することにより、支持棒の挿入部を形成するよう構成してもよい。
【０００９】
さらに、請求項４のごとく、管内周面に接触する接触部を、清掃布を挿入部長手方向に屈曲させることにより形成してもよい。
【００１０】
また、請求項５に記載のように、支持棒が挿入される挿入部を、一端は支持棒が挿入される開口部とし、他端は縫合により支持棒が清掃端より突出しないよう構成してもよい。
【００１１】
また、請求項６に記載のごとく、清掃布を一枚の布材から構成してもよい。
【００１２】
さらに、請求項７に記載のように、前記清掃布を前記挿入部に並行する方向に、山部と谷部が設けられるように複数回折り曲げ、前記山部をはさんで隣接する谷部同士を縫合することにより前記挿入部が形成されるとともに、前記山部が前記接触部を構成するようにしてもよい。
【００１３】
さらに、請求項８に記載のごとく、本掃除具を、請求項1乃至８のいずれかに記載の清掃布と、前記清掃布の挿入部に抜き差し自在な支持棒とにより構成するようにしてもよい。
【００１４】
さらに、請求項９に記載のごとく、請求項８に記載の支持棒に、他の布材が挿入可能な挿入穴を設けるようにしてもよい。
【考案の効果】
【００１５】
本考案は、このような構成とすることにより、請求項１によれば、内周面を清掃する接触部と略直角な清掃端を清掃布の一端に設けることで、フルートの頭部管のごとく、管内が貫通せず、閉塞端を有するような構造であったとしても、その閉塞端周囲に付着した水分を十分に吸収し、清掃することが可能となる。
【００１６】
また、請求項２に記載のように、清掃布を伸縮性を有する布材とすることにより、支持棒を清掃布に装着した際に、その伸縮性を利用して、一定の保持力を有するように清掃布に装着でき、管内の水分をふき取り、清掃するために、清掃布を支持棒とともに支持棒の軸方向、もしくは軸周りに回転させる際においても、清掃布と支持棒がずれることがないため、着実に、かつ効率よく清掃を行うことが可能となる。
【００１７】
請求項３においては、支持棒の挿入部を形成する方法として、挿入部の長手方向に少なくとも２箇所以上を縫合して形成することにより、容易に挿入部を形成することが可能となる。
【００１８】
さらに、請求項４のごとく、管内周面との接触部は清掃布を屈曲させて形成することにより、管内周面への接触幅を確保することができ、管内周面の水分の吸収をさらに効果的に発揮させることができる。
【００１９】
また、請求項５に記載のように支持棒が挿入される挿入部の一端を支持棒が清掃布から突出しないよう縫合することにより、支持棒先端が清掃端付近にしっかりと挿入、固定させることができ、管端部の水分の吸収、清掃を確実に行うことが可能となる。
【００２０】
請求項６記載のように、本清掃布を一枚の布材より形成することにより、縫合のみにより清掃布を形成することが可能となり、その作成が容易となる。
【００２１】
また、請求項７記載の構成によれば、清掃布を挿入部に並行する方向に、山部と谷部が設けられるように複数回折り曲げ、山部を挟んで隣接する谷部同士を縫合することにより挿入部が形成されるようにし、さらに山部が接触部を構成するようにして、一枚の布材から挿入部と接触部を効率的に形成することが可能となる。
【００２２】
さらに、請求項８記載のように、本管楽器用掃除具を前記清掃布と清掃布の挿入部に抜き差し自在な支持棒から構成することにより、一体的な掃除具としての機能を構成できるとともに、清掃布から抜き差し自在になっていることにより、清掃布のみの洗浄が容易とする。
【００２３】
さらに、請求項９に記載のように、その支持棒先端部に布材を挿入できる挿入穴を設けることにより、本支持棒は本清掃布以外の布等を装着して清掃することも可能となり、用途に応じて、清掃布を着脱交換することが可能となる。
【図面の簡単な説明】
【００２４】
【図１】実施の形態１における管楽器用掃除具の全体構成図である。
【図２】図１における実施の形態１の管楽器用掃除具のＡ方向から見た外観図である。
【図３】図１における実施の形態１の管楽器用掃除具のＢ方向から見た外観図である。
【図４】実施の形態１における管楽器用掃除具をフルートの頭部管に挿入した状態の頭部管断面図である。
【図５】実施の形態２における図２に対応する外観図である。
【図６】実施の形態３における図２に対応する外観図である。
【図７】従来の技術の管楽器用掃除具の全体構成図である。
【考案を実施するための最良の形態】
【００２５】
添付図面に基づいて本考案の実施例を説明する。
【００２６】
（実施の形態１）
図１は、本考案の清掃布１０に、円筒状の木材、樹脂材でできた棒状の支持棒いわゆる掃除棒１００が挿入された状態の管楽器用掃除具の全体概要図を示すものである。図２は、図１の矢印Ａ方向より外観した図で、図３は、図１の矢印Ｂ方向より外観した図である。
【００２７】
清掃布１０は、伸縮性および吸湿性のある布材からなり、掃除棒１００の軸方向長手方向に所定の長さを有しており、その一端１０ｇには掃除棒１００が挿入可能な挿入口１０ｆが設けられ、他端１０ｈは、掃除棒１００が、他端１０ｈから突出しないよう、縫合部１０ｅにより縫合封止している。
【００２８】
清掃布１０は、長方形の布を順次必要箇所を縫合することにより形成される。その手順について説明する。
【００２９】
まず、布の長辺側の一端である長辺端１０ａと他端側の長辺端１０ｃを同一線上になるように、ふたつに折り重ね、前記両長辺端１０ａ、１０ｂから所定の距離で、かつ両長辺端１０ａ、１０ｂと平行な方向に直線状に、重ねられた布を縫合して、縫合部１０ｊを形成する。
【００３０】
次に、折り重ねられた布の一部を、長辺端１０ａ、１０ｂと平行な方向に山状に折り、山部１０ｂを形成するとともに、山部１０ｂから所定の距離離れた位置で、さきほどの縫合部１０ｊと平行に、縫合部１０ｄを形成する。同様に、さらに２箇所、山部１０ｂを形成するように、布を折り曲げつつ、縫合部１０ｄを形成し、計４箇所縫合することにより、図２に示されるように、布が折り曲げられた状態の山部１０ｂを三箇所形成するとともに、中央には、掃除棒１００を挿入する挿入部１０ｋを形成することができる。
【００３１】
縫合部１０ｄ、１０ｊにより形成される挿入部１０ｋの径の大きさは、掃除棒１００の径よりもやや小さめとなるよう縫合部１０ｄの位置を設定する。これにより、掃除棒１００が挿入部１０ｋに挿入された際に、布の伸縮性を利用して一定の保持力が発生するようになる。縫合部１０ｄから山部１０ｂまでのそれぞれの距離は山部１０ｂが管楽器の管内内周面に適度に接触できるよう、ほぼ同一の距離に設定される。
【００３２】
このようにして中央部には掃除棒１００が挿入される挿入部１０ｋが形成されるが、この状態では、本布の短辺端の一端１０ｇおよび他端１０ｈの双方には、いずれも掃除棒１００が挿入されるような挿入口が開口されている状態になっている。そこで、短辺端の他端１０ｈ側の開口を図３に示すように、縫合部１０ｅにより縫合封止している。これにより、他方の短辺端の一端１０ｇ側の挿入口１０ｆより、挿入される掃除棒１００は、その先端が、短辺端の他端１０ｈから突出するのを防止できる。
【００３３】
清掃布１０は、このように縫合された結果、その長手方向の一端、すなわち短辺端の一端１０ｇ側に、図２に示すように掃除棒１００が挿入される挿入口１０ｆが形成され、掃除棒が挿入される挿入部と平行な方向に管の内周面に接触して内周面を清掃する複数の接触部となる山部１０ｂを構成する。さらに、掃除棒１００を挿入する側と反対側の端部、すなわち短辺端の他端１０ｈ側は接触部となる山部１０ｂと直角な端部が形成され、後に説明する清掃端を形成することができる。
【００３４】
以上のように縫合された清掃布１０を用いて、管楽器の管内を清掃する方法について、以下詳述する。
【００３５】
清掃布１０に掃除棒１００を短辺端の一端１０ｇ側に設けられた挿入口１０ｆより挿入し、掃除棒１００の先端が短辺端の他端１０ｈの縫合部１０ｅまで届くように挿入する。短辺端の他端１０ｈ側は縫合部１０ｅによりその開口部が閉じられているため、掃除棒１００の先端は、他端１０ｈより突き出ることなく、縫合部１０ｅまで至りしっかりと固定される。清掃布１０は、掃除棒１００の保持部１００ｂを残して、掃除棒１００を包み込むように挿入固定される。
【００３６】
この状態で、掃除棒１００の保持部１００ｂを手により保持し、清掃布１０と掃除棒１００をその短辺端の他端１０ｈ側より、管楽器の管内に挿入して、管内の内周面等に付着した水分を吸収、清掃する。
【００３７】
次に、フルートの頭部管のように管内の一端が閉塞している楽器の管内を、本掃除具により掃除する方法について説明する。図４にフルートの頭部管５０の管内に掃除棒１００に装着された清掃布１０を挿入した状態を示す。
【００３８】
頭部管５０は、洋白、銀、金などの金属からなる円筒状に形成された管体５１に、演奏者が息を吹き込む歌口５２が設けられており、歌口５２に息を吹く込むことにより、音を発生させる。管体５１の一端は開放され、開口部５１ａが設けられており、こちら側に本管、足部管と呼ばれる部分を順次接続することによりフルートを構成する。
【００３９】
頭部管５０管内を清掃する際には、開口部５１ａより、掃除棒１００とともに清掃布１０を挿入する。清掃布１０の頭部管５０管内と接触する接触部となる山部１０ｂは、頭部管５０の円筒状の内周面５１ｂに接触し、清掃布１０を掃除棒１００の軸中心に回転もしくは軸方向に移動させることにより内周面５１ｂに付着した水分を吸収する。清掃布１０の山部１０ｂは清掃布１０を折り曲げて形成しているため、湾曲した曲面により、一定の接触幅をもって内周面５１ｂに接触するため、適度に水分を吸収することが可能となる。
【００４０】
一方、頭部管５０の管体５１の内部には、歌口５２よりさらに頭部側にはヘッドジョイント５３が設けられており、このヘッドジョイント５３により、歌口５２から吹き込まれる息の流れを整え、音を発生させる。ヘッドジョイント５３の反射部材５４は円筒形の平板よりなり、管体５１と直角方向になるよう配置されている。
【００４１】
管体５１に挿入された清掃布１０の短辺端の他端１０ｈは、山部ｂと略直角方向に設けられているため、反射部材５４の表面と平行に接することが可能となり、反射部材５４の表面に付着した水分を確実に吸収することが可能となる。特に、短辺端の他端１０ｈと山部１０ｂとが交わる清掃端を構成する角部１０ｉにより、反射部材５４と管体５１の内周面５１ｂとの接続部となる角部にも確実に清掃布１０を接触させることができ、反射部材５４の隅々まで清掃布１０により水分を吸収することが可能となる。
【００４２】
従来、掃除棒にガーゼ等を巻きつけたものでは、その先端部は丸く柔らかな状態であったため、反射部材５４周囲の水分を十分吸収することができず、その後の吹奏感や管の品質に影響を与えていたが、本管楽器用掃除具を用いることにより簡単に、かつ確実に管内の水分を吸収することが可能となる。
【００４３】
清掃布１０により清掃する管としてフルートの頭部管５０を用いて説明したが、頭部管５０のように管内部の一端が完全に閉塞していないものにおいて、例えば、管内に段差があり、その段差部を清掃するものとして本掃除具を用いても、本実施の形態で説明したものと同様の効果を奏することが可能である。
【００４４】
なお、清掃布１０は、湾曲した山部１０ｂを三箇所設けた構成としたが、これに限らず、１箇所または２箇所もしくは４箇所以上としても、同様の効果を奏するものである。また、清掃布１０に挿入される掃除棒１００は所定の硬さを有する棒状の部材であれば特にどのようなものでもよいが、その先端部に、図７と同様に、挿入穴１００ａを設けることで、清掃布１０を掃除棒１００から取り外し、かわりにガーゼ等の一端を挿入して、従来の掃除棒として利用することもでき、その用途に応じて清掃布１０を自在に取替えることも可能である。
【００４５】
（実施の形態２）
図５には、別の実施形態の図を示す。図５は、実施の形態１における図１の矢印Ａ方向から見た外観図、すなわち、実施の形態１の図２に対応する外観図である。清掃布２０は、２枚の長方形の布２１、２２から構成されており、２枚の布２１、２２を重ねた状態で布２１、２２の長手方向の長辺端２１ｂと平行に、直線状に布２１、２２を２箇所縫合し、縫合部２０ｄを形成する。
【００４６】
これにより実施の形態１と同様な中央に掃除棒が挿入される挿入部および挿入口２０ｆが形成される。各布２１、２２の長辺端２１ｂ、２１ｃ、２２ｂ、２２ｃは、それぞれ管内の内周面に接触する接触部を構成し、その先端で管内の水分を吸収する構成となる。接触部の形状が、実施形態１の曲面とは異なり、布の端部により構成すること以外、その他の構成は実施形態１と実質同様であり、清掃布２０の短辺端は、長辺端２１ｂ、２１ｃと略直角となるよう形成されているので、実施形態１と同様、フルートの頭部管５０内の閉塞端周辺を効率よく清掃することが可能となる。
【００４７】
（実施の形態３）
図６は、さらに別の実施形態を示した図であり、実施の形態１における図１の矢印Ａ方向から見た外観図、すなわち、実施の形態１の図２に対応する外観図である。清掃布３０を４枚の長方形の布３１、３２、３３、３４から構成したものである。中央には掃除棒の挿入口３０ｆが設けられるよう４箇所の縫合部３０ｄを形成し、各布３１、３２、３３、３４の長手方向の長辺端３１ｂ、３１ｃ、３２ｂ、３２ｃ、３３ｂ、３３ｃ、３４ｂ、３４ｃが管内内周面を清掃する接触部を構成する。その他の構成は、実施の形態１及び２と同様である。
【００４８】
このように、実施の形態１においては、一枚の布から清掃布１０を構成したが、これに限らず、実施形態２、３のごとく複数枚の布を縫合することでも同様の効果を奏する清掃布２０、３０を構成することが可能である。
【産業上の利用可能性】
【００４９】
本考案は、フルートあるいはその他の管楽器に用いられ、従来、単に掃除棒にガーゼ等の布を巻きつけることにより、管内を掃除していたものに対し、管内の特に閉塞した端部を有する部分における水分を十分に吸収することができ、管楽器の耐久性、吹奏感をより向上させることに利用することができる。
【符号の説明】
【００５０】
１                掃除具
１０、２０、３０  清掃布
５０              頭部管
１００            掃除棒
【図１】
0003158457.tif 000003
【図２】
0003158457.tif 000004
【図３】
0003158457.tif 000005
【図４】
0003158457.tif 000006
【図５】
0003158457.tif 000007
【図６】
0003158457.tif 000008
【図７】
0003158457.tif 000009